【手続補正書】
【提出日】平成16年10月6日(2004.10.6)
【手続補正１】
【補正対象書類名】特許請求の範囲
【補正対象項目名】全文
【補正方法】変更
【補正の内容】
【特許請求の範囲】
【請求項１】
信号生成手段と、
信号受信手段と、
信号処理手段からなり、
使用時に、信号生成手段は、テストされる対象に適用される信号を生成し、信号受信手段は、対象からの応答信号を受信し、生成信号および応答信号は、信号処理手段による処理を経て、対象の特性測定を提供し、
さらに、上記生成信号は、それぞれが異なった周波数および位相を有する多数の周期信号で構成され、該周期信号は、同時に対象に適用されるようになっている、対象からなるシステムをテストするための歯科用、臨床用、医療用または獣医科用テスト装置。
【請求項２】
対象の特性は、イミタンス、インピーダンス、アドミタンス、誘電率、または電気率の中から選択された、交流電流に特有の特性からなる、請求項１に記載のテスト装置。
【請求項３】
信号生成手段は、ソフトウェアによって制御可能な信号アセンブリ・ユニットからなり、以下のアルゴリズム、すなわち：
2005516657.tif 000001
ここで、Ｅk ＝所定の時間ｔk における電圧、
θi ＝それぞれの周期信号についての任意の位相、
に従った少なくとも１つのモードで作動して、多数の周期出力信号を提供する、請求項１または２に記載のテスト装置。
【請求項４】
多数の周期信号の各々は、任意的に正弦波からなり、信号処理手段は、生成信号および応答信号に対して、高速フーリエ変換解析（ＦＦＴ解析）を実行する、請求項１または２に記載のテスト装置。
【請求項５】
信号生成手段によって生成される、多数の周期信号の各々の位相は、任意である、請求項１、２または４のいずれかに記載のテスト装置。
【請求項６】
周期信号の１つが周波数ｆo を有し、その他の各々の周期信号は、周波数ｆoの倍数の周波数を有する、請求項１、２、４または５に記載のテスト装置。
【請求項７】
生成信号は、少なくとも１／ｆo または１／ｆo の倍数からなる時間、システムに適用される、請求項６に記載のテスト装置。
【請求項８】
生成信号のそれぞれのポイントｋは、
2005516657.tif 000002
ここで、Ｅk ＝所定の時間ｔｋにおける電圧、
θi ＝それぞれの周期信号についての任意の位相、
として与えられる、請求項１、２、４、５または６に記載のテスト装置。
【請求項９】
信号生成手段の制御手段を備える、請求項１、２、４または８に記載のテスト装置。
【請求項１０】
信号生成手段の制御手段は、ユーザーが信号生成手段を選択し、切り換え、またはプログラムすることを可能とし、これにより、信号生成手段は、異なったモードで作動して、少なくとも１つ以上の単一信号、直流信号、あるいは、単一正弦波または掃引正弦波のような周期信号の中から任意に選択された、異なる電気信号を生成することができるようになっている、請求項９に記載のテスト装置。
【請求項１１】
テスト装置は、ポータブルである、請求項１〜１０のいずれかに記載のテスト装置。
【請求項１２】
ポータブルテスト装置からなり、生成手段、信号受信手段および信号処理手段を、共通のケーシング内に配置している、請求項１〜１１のいずれかに記載のテスト装置。
【請求項１３】
信号処理手段を提供するコンピュータ手段と、信号生成手段および／または信号受信手段を備えたモジュールからなり、該コンピュータ手段および該モジュールは、互いに独立／分離可能である、請求項１〜１１のいずれかに記載のテスト装置。
【請求項１４】
使用時に、モジュールおよび／またはコンピュータ手段から、対象を電気的に隔離する絶縁ユニットを含む、請求項１３に記載のテスト装置。
【請求項１５】
コンピュータ手段とモジュールとを、電気的に接続する、または電気的に結合させる手段を備える、請求項１３または１４に記載のテスト装置。
【請求項１６】
コンピュータ手段は、ノート型パソコンまたはラップトップ型パソコンからなる、請求項１３に記載のテスト装置。
【請求項１７】
請求項１〜１６のいずれかに記載のテスト装置と、
使用時に、生成信号を対象に適用し、対象からの応答信号を受信する電極手段からなる、
システムをテストするためのポータブルテスト装置のような歯科用、臨床用、医療用または獣医科用テスト装置。
【請求項１８】
電極手段は、使用時に、非侵略的かつ非破壊的な方法でシステムに適用される、請求項１７に記載のテスト装置。
【請求項１９】
信号生成手段と、
信号受信手段と、
信号処理手段からなり、
使用時に、信号生成手段は、テストされる歯に適用される信号を生成し、信号受信手段は、歯からの応答信号を受信し、生成信号および応答信号は、信号処理手段による処理を経て、歯の特性測定を提供し、
さらに、上記生成信号は、各々異なった周波数および位相を有する多数の周期信号で構成され、該周期信号は、同時に歯に適用されるようになっている、ポータブルテスト装置のようなテスト装置の、
虫歯のような歯の状態を検知することへの使用。
【請求項２０】
信号生成手段と、
信号受信手段と、
信号処理手段からなり、
使用時に、信号生成手段は、テストされる医学的システムに適用される信号を生成し、信号受信手段は、システムからの応答信号を受信し、生成信号および応答信号は、信号処理手段による処理を経て、システムの特性測定を提供し、
さらに、上記生成信号は、各々異なった周波数および位相を有する多数の周期信号で構成され、該周期信号は、同時にシステムに適用されるようになっている、ポータブルテスト装置のようなテスト装置の、
医学的状態を検知することへの使用。
【請求項２１】
信号生成手段と、
信号受信手段と、
信号処理手段からなり、
使用時に、信号生成手段は、テストされるシステムに適用される信号を生成し、信号受信手段は、システムからの応答信号を受信し、生成信号および応答信号は、信号処理手段による処理を経て、システムの特性測定を提供し、
さらに、上記生成信号は、各々異なった周波数および位相を有する多数の周期信号で構成され、該周期信号は、同時にシステムに適用されるようになっている、ポータブルテスト装置のようなテスト装置の、
金属、金属コーティングまたはバッテリのような、非歯科的／非医学的システムの状態を検知することへの使用。
【請求項２２】
歯またはシステムの特性が、イミタンス、インピーダンス、アドミタンス、誘電率、または電気率の中から選択された、交流電流に特有の特性からなる、請求項１９、２０または２１に記載されたテスト装置の使用。
【請求項２３】
信号生成手段は、ソフトウェアによって制御可能な信号アセンブリ・ユニットからなり、以下のアルゴリズム、すなわち：
2005516657.tif 000003
ここで、Ｅk ＝所定の時間ｔk における電圧、
θi ＝それぞれの周期信号についての任意の位相、
に従った少なくとも１つのモードで作動して、多数の周期出力信号を提供する、請求項１９、２０、２１または２２に記載されたテスト装置の使用。
【請求項２４】
多数の周期信号の各々は、任意的に正弦波からなり、信号処理手段は、生成信号および応答信号に対して、高速フーリエ変換解析（ＦＦＴ解析）を実行する、請求項１９〜２２のいずれかに記載されたテスト装置の使用。
【請求項２５】
信号生成手段によって生成される、多数の周期信号の各々の位相は、任意である、請求項１９〜２２または２４のいずれかに記載されたテスト装置の使用。
【請求項２６】
周期信号の１つが周波数がｆo を有し、その他の各々の周期信号は、周波数ｆo の倍数の周波数を有する、請求項１９〜２２、２４または２５のいずれかに記載されたテスト装置の使用。
【請求項２７】
生成信号は、少なくとも１／ｆo または１／ｆo の倍数からなる時間、歯またはシステムに適用される、請求項２６に記載されたテスト装置の使用。
【請求項２８】
生成信号のそれぞれのポイントｋは、
2005516657.tif 000004
ここで、Ｅk ＝所定の時間ｔk における電圧、
θi ＝それぞれの周期信号についての任意の位相、
として与えられる、請求項１９〜２２または２４〜２７のいずれかに記載されたテスト装置の使用。
【請求項２９】
信号生成手段の制御手段を備える、請求項１９〜２２または２４〜２８のいずれかに記載されたテスト装置の使用。
【請求項３０】
信号生成手段の制御手段は、ユーザーが信号生成手段を選択し、切り換え、またはプログラムすることを可能とし、これにより、信号生成手段は、異なったモードで作動して、少なくとも１つ以上の単一信号、直流信号、あるいは、単一正弦波または掃引正弦波のような周期信号の中から任意に選択された、異なる電気信号を生成することができるようになっている、請求項２９に記載されたテスト装置の使用。
【請求項３１】
請求項１〜１６のいずれかに記載のテスト装置と、
使用時に、生成信号を歯に適用し、歯からの応答信号を受信するようになっている電極手段からなる、
ポータブルテスト装置のようなテスト装置の、歯の状態を検知するための使用。
【請求項３２】
請求項１〜１６のいずれかに記載のテスト装置と、
使用時に、生成信号を医学的システムに適用し、システムからの応答信号を受信するようになっている電極手段からなる、
ポータブルテスト装置のようなテスト装置の、医学的状態を検知するための使用。
【請求項３３】
請求項１〜１６のいずれかに記載のテスト装置と、
使用時に、生成信号をシステムに適用し、システムからの応答信号を受信するようになっている電極手段からなる、
ポータブルテスト装置のようなテスト装置の、非歯科的／非医学的システムの状態を検知するための使用。
【請求項３４】
電極装置は、使用時に、非侵略的かつ非破壊的な方法で、歯またはシステムに適用される請求項３１、３２または３３に記載されたテスト装置の使用。
【請求項３５】
請求項１７に記載されたテスト装置を提供するステップと、
電気信号を生成して、該電気信号を歯に適用するステップと、
応答電気信号を検出するステップと、
生成信号および応答信号を処理して、歯の特性測定を提供するというステップからなる、歯の状態検知するための方法。
【請求項３６】
請求項１７に記載されたテスト装置を提供するステップと、
電気信号を生成して、該電気信号を医学的システムに適用するステップと、
応答電気信号を検出するステップと、
生成信号および応答信号を処理して、システムの特性測定を提供するというステップからなる、医学的状態を検知するための方法。
【請求項３７】
請求項１７に記載されたテスト装置を提供するステップと、
電気信号を生成して、該電気信号をシステムに適用するステップと、
応答電気信号を検出するステップと、
生成信号および応答信号を処理して、システムの特性測定を提供するというステップからなる、非歯科的／非医学的状態を検知するための方法。
【請求項３８】
信号生成手段と、
信号受信手段と、
信号処理手段からなり、
使用時に、信号生成手段は、テストされる歯に適用される電気信号を生成し、信号受信手段は、歯からの応答信号を受信し、生成信号および応答信号は、信号処理手段による処理を経て、歯の特性測定を提供し、
さらに、上記生成信号は、各々異なった周波数および位相を有する多数の周期信号で構成され、該周期信号は、同時に歯に適用されるようになっている装置を備えた、または、上記のような装置を分離可能に取り付けた、歯科用チェアユニットまたは歯科用ライトユニット。
【請求項３９】
信号生成手段と、
信号受信手段と、
信号処理手段からなり、
使用時に、テストされるシステムに適用される信号を生成し、テストされたシステムからの応答信号を受信し、適用信号および応答信号は、信号処理手段による処理を経て、データを提供するようになっている、
テストされるシステムに適用される信号を生成し、システムにより生成された応答信号を受信するためのポータブルテスト装置。
【請求項４０】
上記データは、システムの特性を示す、請求項３９に記載のポータブルテスト装置。
【請求項４１】
データが転送されて保存されるデータ保存手段を含む、請求項３９または４０に記載のポータブルテスト装置。
【請求項４２】
手で持つことが可能な、請求項３９〜４１のずれかに記載のポータブルテスト装置。
【請求項４３】
データを視覚的に表示する手段を含む、請求項３９〜４２のいずれかに記載のポータブルテスト装置。
【請求項４４】
システムのインピーダンスを測定する、請求項３９〜４４のいずれかに記載のポータブルテスト装置。
【請求項４５】
バッテリで作動する、請求項３９〜４４のいずれかに記載のポータブルテスト装置。
【請求項４６】
該装置を着脱可能に主電源に接続して、バッテリ稼働のための充電を可能とする手段を含む、請求項４５に記載のポータブルテスト装置。
【請求項４７】
少なくとも第１および第２の電極からなり、第１の電極が、テストされるシステムに生成信号を適用し、第２の電極が、システムからの応答信号を回収するようになっている電極手段と、該装置とを連結する手段を含む、請求項３９〜４６のいずれかに記載のポータブルテスト装置。
【請求項４８】
該装置と外部電源との接続、該装置と電極手段との接続が、同時に起こり得ないように構成または配置されている、請求項３９〜４７のいずれかにに記載のポータブルテスト装置。
【請求項４９】
該装置と外部電源との接続、該装置と電極手段との接続が、同時に起こり得るように構成または配置されている、請求項３９〜４６のいずれかに記載のポータブルテスト装置。
【請求項５０】
医療用電気装置に適合する安全機能を備えた、請求項３９〜４９のいずれかに記載のポータブルテスト装置。
【請求項５１】
該装置と外部電源との接続、該装置とテストされるシステムとの接続が、同時に起こり得ないようになっている単一の入力／出力ポートを備えた、請求項１３〜３７または５０のいずれかに記載のポータブルテスト装置。  
【請求項５２】
該装置への電力、装置へと転送される信号、および装置から転送される信号が、各々に割り当てられるようになっている２つ以上の入力／出力ポートを備えた、請求項３９〜４６、４７または５０のいずれかに記載のポータブルテスト装置。
【請求項５３】
システムに適用される信号は、少なくとも１つの交流信号のような周期信号で構成される、請求項３９〜５２のいずれかに記載のポータブルテスト装置。
【請求項５４】
システムに適用される信号は、多数の正弦波のような周期波で構成される、請求項３９〜５３のいずれかに記載のポータブルテスト装置。
【請求項５５】
各々の正弦波のような周期波は、異なった周波数と、任意の位相を有している、請求項５４に記載のポータブルテスト装置。
【請求項５６】
適用信号は、矩形波、またはその他の波形である、請求項３９〜５２のいずれかに記載のポータブルテスト装置。
【請求項５７】
適用信号は、単一の周波数を有する、請求項１３〜５３または５６のいずれかに記載のポータブルテスト装置。
【請求項５８】
適用信号および応答信号の解析手段は、適用信号および応答信号に対して高速フーリエ変換（ＦＦＴ）スペクトル解析を実行する、請求項３９〜５７のいずれかに記載のポータブルテスト装置。
【請求項５９】
信号受信手段は、データ獲得手段を備える、請求項３９〜６０のいずれかに記載のポータブルテスト装置。
【請求項６０】
信号処理手段、または適用信号および受信信号の解析手段は、適用信号および受信信号に対して、高速フーリエ変換（ＦＦＴ）解析を実行する、請求項１〜１６または３９〜５９のいずれかに記載のテスト装置またはポータブルテスト装置。
【請求項６１】
少なくとも部分的に生物学的物質または組織で構成されるシステム、たとえば、人間や動物の体の少なくとも一部からなるシステムにおける、歯科的または医学的な生体内状態を調べるための使用に適合した、請求項１〜１６または３９〜６０のいずれかに記載のテスト装置またはポータブルテスト装置。
【請求項６２】
バッテリ、燃料電池またはその類似物の中から選択されたシステムでの使用に適合した、請求項１〜１６または３９〜６０のいずれかに記載のテスト装置またはポータブルテスト装置。
【請求項６３】
ペンキおよびポリマーのようなコーティングの腐食または状態を、非破壊的なテスト技術を用いて検知するための使用に適合した、請求項１〜１６または３９〜６２のいずれかに記載のテスト装置またはポータブルテスト装置。
【請求項６４】
直流１００ｋＨｚ程度の周波数を有する信号を生成する装置を用いてテストを実行し、ポリマー、誘電体および電極プロセス、またはその他の高インピーダンス媒体のような、低周波数の応答によって特性づけられるシステムについて実行された測定結果を提供する、請求項１〜１６または３６〜６３のいずれかに記載のテスト装置またはポータブルテスト装置。
【請求項６５】
１００ｋＨｚを超える信号を生成する装置を用いてテストを実行し、電導性の高い電解質、またはその他の低インピーダンス媒体のような高周波数の応答によって特性づけられるシステムについて実行された測定結果を提供する、請求項１〜１６または３９〜６３のいずれかに記載のテスト装置またはポータブルテスト装置。
【請求項６６】
内蔵されたパソコン用制御ソフトウェアによって、特定の最終用途がカスタマイズされる、請求項３９〜５９のいずれかに記載のポータブルテスト装置。
【請求項６７】
事後的な解析、プレゼンテーション、データ保存および検索を伴った測定を実行するようプログラムされた、請求項３９〜６０のいずれかに記載のポータブルテスト装置。
【請求項６８】
受信信号を、可変的に増幅させる手段を備える、請求項３９〜６１のいずれかに記載のポータブルテスト装置。
【請求項６９】
信号生成手段と、
信号受信手段と、
信号処理手段と、
使用時にシステムに適用される電極手段からなり、
生成信号は、上記電極手段によってシステムに適用され、システムの応答信号は、該電極手段によって検出され、信号受信手段によって受信され、適用信号および受信信号は、信号処理手段による処理を経るようになっている、
電気刺激をシステムに与え、システムからの応答を獲得するためのポータブル装置。
【請求項７０】
信号処理手段によって作成されたデータは、データ保存手段へと転送されて、保存される、請求項６９に記載のポータブル装置。
【請求項７１】
信号処理手段は、生成信号または適用信号、応答信号または受信信号に対して、信号解析を実行する、請求項６９または７０に記載のポータブル装置。
【請求項７２】
電極手段は、１つ以上の電極を備え、また、任意的に電極アレイを備える、
請求項６９または７０に記載のポータブル装置。
【請求項７３】
信号生成手段と、
信号受信手段と、
信号処理手段と、
単一の入力／出力電気接続手段からなり、
上記電気接続手段は、任意的に、カスタマイズされたマルチピン用プラグポートを備え、該ポートは、それぞれのピンに各々の役割を与えるように構成されているため、該ポートを介して、多数のオペレーションが実行可能になっている、
システムに適用される電気信号を生成し、システムにより生成された応答信号を獲得するためのポータブル装置。
【請求項７４】
さらに、データ保存手段を備える、請求項７３に記載のポータブル装置。
【請求項７５】
ポート、または入力／出力電気接続手段を介して装置が実行する多数のオペレーションは、装置のバッテリを充電すること、データを装置へと転送すること、データを装置から転送することのうちの、少なくとも１つを含む、請求項７３または７４に記載のポータブル装置。
【請求項７６】
上記ポートは、１２ウェイポートまたはソケットである、請求項７３〜７５のいずれかに記載のポータブル装置。
【請求項７７】
信号生成手段と、
信号受信手段と、
信号処理手段と、
選択手段からなり、
上記選択手段は、生成すべき適切な信号を選択するために用いられ、装置は、装置によって実行される機能と、テストされるシステムに適用される適切な信号とを発生させ、テストされたシステムから応答信号を受信し、適用信号および受信信号は、信号処理手段による処理を経て、データを提供するようになっている、
システムに適用される電気信号を生成し、システムから出される応答信号を獲得するためのポータブル装置。
【請求項７８】
提供されたデータは、データ保存手段に転送されて保存される、請求項７７に記載のポータブル装置。
【請求項７９】
データを視覚的に表示する手段を含む、請求項７７または７８に記載のポータブル装置。
【請求項８０】
選択手段は、信号処理手段によって実行される処理ステップを選択するために用いられる、請求項７７〜７９のいずれかに記載のポータブル装置。
【請求項８１】
選択された装置の機能は、装置が時間領域において、電気的または電気化学的測定を実行するというものである、請求項７７〜８０のいずれかに記載のポータブル装置。
【請求項８２】
選択された装置の機能は、装置が周波数領域において、電気的または電子化学的測定を実行するというものである、請求項７７〜８０のいずれかに記載のポータブル装置。
【請求項８３】
生成信号は、少なくとも１つの交流信号である、請求項７７〜８２のいずれかに記載のポータブル装置。
【請求項８４】
生成信号は、直流信号である、請求項７７〜８３のいずれかに記載のポータブル装置。
【請求項８５】
信号生成手段と、
信号受信手段と、
信号処理手段からなり、
テストされるシステムに適用される複合信号を生成し、テストされたシステムからの応答信号を受信し、適用信号および受信信号は、信号処理手段による処理を経て、システムの特性を示すデータを提供するようになっている、
システムに適用される複合電気信号を生成し、システムから出される応答信号を獲得するためのポータブル装置。
【請求項８６】
提供されたデータは、保存手段に転送されて保存される、請求項８５に記載のポータブル装置。
【請求項８７】
信号生成手段と、
信号受信手段と、
信号処理手段からなり、
テストされるシステムに適用される予め定められた信号のシーケンスを生成し、テストされたシステムから、対応する応答信号のシーケンスを受信し、適用信号および受信信号は、信号処理手段による処理を経て、システムの特性を示すデータを提供するようになっている、
システムに適用される予め定められた電気信号のシーケンスを生成し、これに対応する応答信号のシーケンスをシステムから獲得するためのポータブル装置。
【請求項８８】
提供されたデータは、データ保存手段に転送されて保存される、請求項８７に記載のポータブル装置。
【請求項８９】
信号生成手段と、
信号受信手段と、
信号処理手段からなり、
使用時に、テストされるシステムに適用される信号を生成し、システムからの応答信号を受信し、適用信号および応答信号は、信号処理手段による処理を経て、システムの特性を示すデータを提供するようになっている、
システムに適用される電気信号を生成し、システムにより生成された応答信号を獲得することにより、歯の状態を検知するポータブル装置。
【請求項９０】
提供されたデータは、データ保存手段に転送されて保存される、請求項８９に記載のポータブル装置。
【請求項９１】
１Ｈｚ〜１００ｋＨｚの範囲の周波数を有する信号を生成する装置を用いてテストを実行し、高インピーダンス材料または歯の硬質組織、および、たとえば該組織の擦傷、摩滅、カリエス／虫歯、侵食、腐食、あるいは、たとえば機械的または化学的要因等によって引き起こされる、あらゆる組織の変化などのような、低周波数の応答によって特性づけられるシステムについて実行された測定結果を提供する、請求項８９または９０に記載のポータブル装置。  
【請求項９２】
１００ｋＨｚを超える信号を生成する装置を用いてテストを実行し、軟質組織、またはその他の低インピーダンス媒体のような、高周波数の応答によって特性づけられるシステムについて実行される測定結果を提供する、請求項８９〜９１のいずれかに記載のポータブル装置。
【請求項９３】
信号生成手段と、
信号受信手段と、
信号処理手段と、
アナログ回路からなり、
上記アナログ回路は、装置が、生体内環境においてテストを行うことを可能とする医学的安全機能を含み、  
テストされるシステムに適用される信号を生成し、テストされたシステムから応答信号を受信し、適用信号および受信信号は、信号処理手段による処理を経て、システムの特性を示すデータを提供するようになっている、
システムに適用される電気信号を生成し、システムから出される応答信号を獲得する、臨床的状態のテストに用いるためのポータブル装置。
【請求項９４】
提供されたデータは、データ保存手段に転送されて保存される、請求項９３に記載のポータブル装置。
【請求項９５】
１Ｈｚ〜１００ｋＨｚの範囲の周波数を有する信号を生成する装置を用いてテストを実施し、骨、またはその他の硬質組織、該組織の腐食または侵食の発見、あるいは、その他の高インピーダンス媒体のような、低周波数の応答によって特性づけられるシステムについて実行される測定結果を提供する、請求項９３または９４に記載のポータブル装置。
【請求項９６】
１００ｋＨｚを超える信号を生成する装置を用いてテストを実施し、軟質組織、またはその他の低インピーダンス媒体のような、高周波数の応答によって特性づけられるシステムについて実行される測定結果を提供する、請求項９３〜９５のいずれかに記載のポータブル装置。
【請求項９７】
アナログ回路の安全機能は、医療用電気装置に適合する、請求項９３〜９６のいずれかに記載のポータブル装置。
【請求項９８】
装置と外部電源との接続、装置とテストされるシステムとの接続が、同時に起こり得ないようになっている、単一の入力／出力ポートを備えた、請求項９３〜９７のいずれかに記載のポータブル装置。
【請求項９９】
人工的補充物、金属または合成の「ピン」またはこの類似物のような、体の部分を再構成するために用いられた物質の状態、およびこれらの腐食状態を、生体内で測定またはモニタするために使用される、請求項９３〜９７のいずれかに記載のポータブル装置。
【請求項１００】
信号生成手段と、
信号受信手段と、
信号処理手段と、
少なくとも第１の電極と第２の電極とを備えた電極手段からなり、
上記第１の電極を介してシステムに適用される信号を生成し、第２の電極を介してテストされたシステムからの応答信号を受信し、適用信号および受信信号は、信号処理手段による処理を経て、システムの特性を示すデータを提供し、第１の電極および第２の電極は、用途に応じて選択されており、データを提供する方法にある信号の受信を行うようになっている、
システムに適用される電気信号を生成し、システムにより生成された応答信号を獲得するためのポータブル装置。
【請求項１０１】
提供されたデータは、データ保存手段に転送されて保存される、請求項１００に記載のポータブル装置。
【請求項１０２】
信号生成手段と、
信号受信手段と、
信号処理手段と、
選択手段からなり、
テストされるシステムに適用される信号を生成し、テストされたシステムからの応答信号を受信し、適用信号および受信信号は、信号処理手段による処理を経て、システムの特性を示すデータを提供し、選択手段は、ノイズ調整のため、適用信号および受信率を定めるために用いられる、
システムに適用される電気信号を生成し、システムにより生成された応答信号を獲得するためのポータブル装置。
【請求項１０３】
提供されたデータは、データ保存手段に転送されて保存される、請求項１０２に記載のポータブル装置。
【請求項１０４】
前記テスト装置が、その他の機器とのリンクして使用可能なポートを有することにより、ワイヤレスデータ転送または印刷が可能となっている請求項１に記載のテスト装置。
【請求項１０５】
前記テスト装置がバッテリを有する請求項１に記載のテスト装置。
【請求項１０６】
前記テスト装置が誘導充電ユニットを備えることにより、ワイヤレスでバッテリの再充電が可能となっている請求項１に記載のテスト装置。
【請求項１０７】
信号生成手段と、
信号受信手段と、
信号処理手段からなり、
使用時に、信号生成手段は、テストされるシステムに適用される信号を生成し、信号受信手段は、システムからの応答信号を受信し、生成信号および応答信号は、信号処理手段による処理を経て、システムの特性測定を提供し、
さらに、上記生成信号は、それぞれが異なった周波数および位相を有する多数の周期信号で構成され、該周期信号は、同時にシステムに適用されるようになっている、システムをテストするためのテスト装置。